(57)【要約】【課題】ライセンスを提供する装置やサーバにアクセスしなくともライセンスを取得することができるライセンス移動システムを提供することを目的とする。【解決手段】ライセンス要求装置が記憶するログオンユーザ識別情報とライセンス送信装置が記憶するログオンユーザ識別情報とを比較してこれらが同一のログオンユーザを示す情報であるか否かを判定し、その比較したログオンユーザ識別情報が同一であるときにのみ、ライセンス送信装置が記憶するライセンス情報のライセンス要求装置への送信を指示する。【選択図】  図１
2004303089.tif 000002
【特許請求の範囲】
【請求項１】
ライセンス要求装置が記憶するログオンユーザ識別情報とライセンス送信装置が記憶するログオンユーザ識別情報とを比較してこれらが同一のログオンユーザを示す情報であるか否かを判定するライセンス要求ユーザ判定手段と、
前記比較したログオンユーザ識別情報が同一であるときにのみ、前記ライセンス送信装置が記憶するライセンス情報の前記ライセンス要求装置への送信を指示する送信指示手段と、
を備えることを特徴とするライセンス移動システム。
【請求項２】
前記ライセンス情報が前記ライセンス要求装置への送信を許可するか否かを表す送信許可情報を保持しており、前記送信指示手段は前記送信許可情報が送信許可を示す場合にのみ前記ライセンス要求装置への送信を指示することを特徴とする請求項１に記載のライセンス移動システム。
【請求項３】
前記ライセンス要求装置および前記ライセンス送信装置は、それぞれ、ライセンスを提供するサーバが接続された通信ネットワークへ接続した際に、前記通信ネットワークへの接続に必要な認証情報に基づいて前記ログオンユーザ識別情報を受信することを特徴とする請求項１または請求項２のいずれかに記載のライセンス移動システム。
【請求項４】
ライセンス要求装置が記憶するログオンユーザ識別情報とライセンス送信装置が記憶するログオンユーザ識別情報とを比較してこれらが同一のログオンユーザを示す情報であるか否かを判定するライセンス要求ユーザ判定過程と、
前記比較したログオンユーザ識別情報が同一であるときにのみ、前記ライセンス送信装置が記憶するライセンス情報の前記ライセンス要求装置への送信を指示する送信指示過程と、
を備えることを特徴とするライセンス移動方法。
【請求項５】
前記ライセンス情報が前記ライセンス要求装置への送信を許可するか否かを表す送信許可情報を保持しており、前記送信指示過程において前記送信許可情報が送信許可を示す場合にのみ前記ライセンス要求装置への送信を指示することを特徴とする請求項４に記載のライセンス移動方法。
【発明の詳細な説明】
【０００１】
【発明の属する技術分野】
この発明は、コンピュータシステムに係り、特に、ライセンス移動システム及びライセンス移動方法に関するものである。
【０００２】
【従来の技術】
従来コンテンツを利用する方法として、コンテンツを利用する為のライセンスを取得しなければならない技術が存在する。そして、この技術においては、認証を受けなければライセンスを取得できないような仕組みとなっているので、ライセンスを取得する端末はライセンスを提供しているサーバにアクセスし、認証を受けてからライセンスを取得する。なおハードウェア固有の情報や利用者情報などが予め登録されているサーバへアクセスするか、もしくはそのような情報を利用者端末側に保持しておくなどして、ハードウェア固有の情報や利用者情報などをライセンスの代わりとして取得し、ハードウェア固有の情報や利用者情報が予め記憶している情報と適合すればコンテンツの利用の許可が得られる技術が公開されている（例えば、特許文献１参照。）
【０００３】
【特許文献１】
特開２００１−６７２７０号公報
【０００４】
【発明が解決しようとする課題】
しかしながら、従来のライセンスの取得の方法では、ライセンスを提供するサーバにアクセスして認証を受けなければライセンスを取得することができなかったので、サーバにアクセスできない環境に端末を移動した際にはライセンスを取得できずにコンテンツを利用できないという問題があった。
そこでこの発明は、ライセンスを提供する装置やサーバにアクセスしなくともライセンスを取得することができるライセンス移動システム及びライセンス移動方法を提供することを目的としている。
【０００５】
【課題を解決するための手段】
本発明は、上述の課題を解決すべくなされたもので、ライセンス要求装置が記憶するログオンユーザ識別情報とライセンス送信装置が記憶するログオンユーザ識別情報とを比較してこれらが同一のログオンユーザを示す情報であるか否かを判定するライセンス要求ユーザ判定手段と、前記比較したログオンユーザ識別情報が同一であるときにのみ、前記ライセンス送信装置が記憶するライセンス情報の前記ライセンス要求装置への送信を指示する送信指示手段とを備えることを特徴とするライセンス移動システムである。
【０００６】
上述の構成によれば、本発明は、ライセンス要求装置が記憶するログオンユーザ識別情報とライセンス送信装置が記憶するログオンユーザ識別情報とを比較してこれらが同一のログオンユーザを示す情報であるか否かを判定し、その比較したログオンユーザ識別情報が同一であるときにのみ、ライセンス送信装置が記憶するライセンス情報のライセンス要求装置への送信を指示する。
これにより、ライセンス送信装置にライセンスを記憶させたログオンユーザと同一のユーザが操作するライセンス要求装置にのみライセンスを送信することとなるので、他のユーザが操作するライセンス要求装置にライセンスが供与されることがない。従って許可しないユーザにライセンスを提供することを防止することができる。また既にライセンスを記憶しているライセンス送信装置からライセンスを受信するので、ライセンスを提供するサーバにライセンス要求装置を接続させなくてもよい。
【０００７】
また本発明は、上述のライセンス移動システムにおいて、前記ライセンス情報が前記ライセンス要求装置への送信を許可するか否かを表す送信許可情報を保持しており、前記送信指示手段は前記送信許可情報が送信許可を示す場合にのみ前記ライセンス要求装置への送信を指示することを特徴とする。これにより、ライセンスが他の端末への送信許可を示す送信許可情報を保持している場合にのみライセンスの他の端末への送信ができるので、ライセンスの情報として他の端末での利用を許可するユーザと許可しないユーザとを設定することができる。
【０００８】
また本発明は、上述のライセンス移動システムにおいて、前記ライセンス要求装置および前記ライセンス送信装置は、それぞれ、ライセンスを提供するサーバが接続された通信ネットワークへ接続した際に、前記通信ネットワークへの接続に必要な認証情報に基づいて前記ログオンユーザ識別情報を受信することを特徴とする。これにより、ライセンスを提供するサーバにアクセスする際に行う認証時に提供されるログオンユーザ識別情報を用いて、ライセンス要求装置とライセンス送信装置を操作するログオンユーザが同一か否かを判定するので、上述のサーバへのアクセス権限がないログオンユーザの操作する端末へ、ライセンスを送信することを防止することができる。
【０００９】
また本発明は、ライセンス要求装置が記憶するログオンユーザ識別情報とライセンス送信装置が記憶するログオンユーザ識別情報とを比較してこれらが同一のログオンユーザを示す情報であるか否かを判定するライセンス要求ユーザ判定過程と、前記比較したログオンユーザ識別情報が同一であるときにのみ、前記ライセンス送信装置が記憶するライセンス情報の前記ライセンス要求装置への送信を指示する送信指示過程とを備えることを特徴とするライセンス移動方法である。
【００１０】
また本発明は、上述のライセンス移動方法において、前記ライセンス情報が前記ライセンス要求装置への送信を許可するか否かを表す送信許可情報を保持しており、前記送信指示過程において前記送信許可情報が送信許可を示す場合にのみ前記ライセンス要求装置への送信を指示することを特徴とする。
【００１１】
【発明の実施の形態】
以下、本発明の一実施形態によるライセンス移動システムを図面を参照して説明する。
図１は、この発明の一実施形態によるライセンス移動システムの構成を示す概略ブロック図である。この図において符号１はネットワーク接続認証装置であり、当該ネットワーク接続認証装置が管理する通信ネットワークへの端末の接続を認証する。このネットワーク接続認証装置１は通信ネットワークへの接続を要求する端末からログオンＩＤとパスワードとを受信し、認証が成功すると、その接続を要求した端末を利用するログオンユーザの識別情報を送信する。また２はライセンス管理装置であり、コンテンツを利用する為のライセンス配信要求を端末から受信し、当該ライセンス配信要求で示されるライセンスを端末に配信する。また３はコンテンツ配信装置であり、端末からのコンテンツ配信要求に基づいてコンテンツを配信する。また端末Ａ（ライセンス送信装置）、端末Ｂ（ライセンス要求装置）はログオンユーザの指示に基づいてライセンス配信要求やコンテンツ配信要求を行う。
【００１２】
そして、ネットワーク接続認証装置１において、符号１１は端末Ａまたは端末Ｂの通信ネットワークへの接続時に、端末Ａまたは端末Ｂを操作するログオンユーザのログオンＩＤとパスワードに基づいて認証を行う認証処理部である。また１２はログオンユーザ情報記憶部であり、ログオンユーザのログオンＩＤとパスワードとログオンユーザ識別情報とを対応付けて記憶している。またライセンス管理装置２において符号２１はライセンス配信処理部であり、端末Ａまたは端末Ｂのライセンス配信要求に基づいてライセンスの配信処理を行なう。また２２は利用条件情報記憶部であり、コンテンツのファイル名とログオンユーザの識別情報とコンテンツの利用条件を表す利用条件情報を対応付けて記憶している。なお利用条件情報は、例えば、コンテンツの閲覧可否や、コンテンツへの書き込み可否や、コンテンツの他の端末での利用許可を表す外部利用可否の情報（送信許可情報）を記憶した情報である。また２３はコンテンツ鍵記憶部であり、コンテンツのファイル名に対応付けられて当該ファイル名で特定できるコンテンツの復号鍵を記憶している。
【００１３】
またコンテンツ配信装置３において符号３１はコンテンツ配信処理部であり、端末Ａや端末Ｂからのコンテンツ配信要求に基づいてコンテンツの配信処理を行なう。また３２はコンテンツ記憶部であり、端末Ａや端末Ｂに配信するコンテンツを記憶する。なお本実施形態においてはコンテンツ記憶部３２で記憶しているコンテンツは暗号化されたコンテンツであるとする。また、端末Ａ及び端末Ｂは同一の処理部を備えており、端末Ａ、Ｂにおいて符号４１ａ、４１ｂはライセンス管理装置２へ通信ネットワークを介してライセンスの配信要求を行うライセンス配信要求処理部である。また４２ａ、４２ｂは他の端末からのコンテンツ要求に基づいて他の端末へコンテンツの送信を行うコンテンツ移動処理部である。また４３ａ、４３ｂは他の端末からのライセンス要求に基づいて他の端末へライセンスの送信を行うライセンス移動処理部である。また４４ａ、４４ｂはコンテンツ配信装置３から受信したコンテンツを記憶するコンテンツ記憶部である。また４５ａ、４５ｂはライセンス管理装置２から受信したライセンスを記憶するライセンス記憶部である。また４６ａ、４６ｂは端末Ａまたは端末Ｂが通信ネットワークへ接続した際にネットワーク接続認証装置１より受信したログオンユーザ識別情報を記憶するユーザ識別情報記憶部である。
【００１４】
そして、端末Ａ及び端末Ｂは予め通信ネットワークに接続してネットワーク接続認証装置１からログオンユーザ識別情報を受信し、当該ログオンユーザ識別情報をユーザ識別情報記憶部４６ａ、４６ｂに記録しておく。なお、端末Ａと端末Ｂが同一ログオンユーザのログオンＩＤとパスワードで通信ネットワークに接続した場合には、ネットワーク接続認証装置１は端末Ａと端末Ｂにそれぞれ同一ログオンユーザを識別するログオンユーザ識別情報を送信する。そして、端末Ａまたは端末Ｂはユーザ識別情報記憶部４６ａ、４６ｂにログオンユーザ識別情報を記録する。そして本発明は、端末Ａおよび端末Ｂが通信ネットワークから接続を切り離した状態の際に、端末Ａと端末Ｂのユーザ識別情報記憶部４６ａ、４６ｂに記録されているログオンユーザ識別情報が同一ログオンユーザを識別するものである場合にのみ、ライセンス記憶部４５ａまたは４５ｂに記録されているライセンスが端末Ａから端末Ｂへ、または端末Ｂから端末Ａへ送信するライセンス移動システムである。ここで、通常は、ライセンスを他の端末へ移して、認証の受けていないログオンユーザにコンテンツを不正に利用させないためにライセンスの移動をできないような仕組みが、端末上でライセンスを管理するプログラムに組み込まれている。
尚、本願発明における通信ネットワークは例えばマイクロソフト社が提供するＷｉｎｄｏｗｓ（登録商標）のサーバが管理する通信ネットワークであり、前記サーバはネットワーク接続認証装置１の機能を有している。そして、ログオンユーザ自身に割り当てられたログオンＩＤとパスワードを端末がサーバに送信することにより、サーバが予め記憶しているログオンＩＤとパスワード組合せに基づいて端末の接続を許可する。そして端末の通信ネットワークの接続時にサーバは端末に対してログオンユーザ識別情報を送信する。このログオンユーザ識別情報はＧＵＩＤ（Ｇｌｏｂａｌ  Ｕｎｉｑｕｅ  ＩＤ）と呼ばれるものであり、このＧＵＩＤによりログオンユーザを一意に識別できる。
【００１５】
次に、端末Ａがコンテンツの配信を受ける際の処理について説明する。
まず、端末Ａを操作するログオンユーザＡは、通信ネットワークに接続する際に端末ＡにログオンＩＤとパスワードを入力する。すると端末Ａはネットワーク接続認証装置１に対してログオンＩＤとパスワードを送信する。次に、ネットワーク接続認証装置１の認証処理部１１は端末ＡからログオンＩＤとパスワードを受信すると、予めログオンユーザ情報記憶部１２に記憶しているログオンＩＤとパスワードの組合せと比較して、受信したログオンＩＤとパスワードの組合せを記憶しているか否かを確認する。そして、ログオンＩＤとパスワードの組合せを記憶している場合には、認証処理部１１は通信ネットワークへの端末Ａの接続許可を判断し、端末Ａから受信したログオンＩＤとパスワードに対応付けられて記憶しているログオンユーザＡのＧＵＩＤ（ログオンユーザＡの識別情報）を端末Ａに送信する。そして端末Ａは受信したログオンユーザＡのＧＵＩＤをユーザ識別情報記憶部４６ａに記録する。
【００１６】
次に、ログオンユーザＡは端末Ａを操作してコンテンツ配信要求の指示を行う。するとコンテンツ端末Ａは通信ネットワークを介してコンテンツ配信要求を行う。尚、このコンテンツ配信要求には、ログオンユーザＡが指定したコンテンツを識別するコンテンツ識別ＩＤが格納されている。そして、コンテンツ配信要求を受信すると、コンテンツ配信装置３のコンテンツ配信処理部３１はコンテンツ配信要求に格納されているコンテンツ識別ＩＤに対応付けられてコンテンツ記憶部３２に記録されている暗号化コンテンツを通信ネットワークを介して端末Ａに送信する。そして端末Ａはコンテンツ配信装置３から受信した暗号化コンテンツをコンテンツ記憶部４４ａに記録する。
【００１７】
次にログオンユーザＡは端末Ａを操作して暗号化コンテンツを利用するために必要なライセンスの配信要求の指示を行う。この時、ログオンユーザは利用したい暗号化コンテンツを指定する。すると端末Ａのライセンス配信要求処理部４１ａ（ライセンス要求ユーザ判定手段、送信指示手段）はライセンス管理装置２へライセンス配信要求を送信する。尚、このライセンス配信要求にはユーザ識別情報記憶部４６ａに記録されているログオンユーザＡのＧＵＩＤとログオンユーザが指定した暗号化コンテンツのファイル名が格納されている。次に、ライセンス管理装置２においてライセンス配信要求を受信すると、ライセンス配信処理部２１が当該ライセンス配信要求に含まれるＧＵＩＤをネットワーク接続認証装置３に送信して、ＧＵＩＤで示されるログオンユーザが通信ネットワークに接続許可されているユーザか否かの確認を受ける。ここでネットワーク接続認証装置３は、ライセンス管理装置から受信したＧＵＩＤがログオンユーザ情報記憶部１２に記録しているものである場合には、ログオンユーザが通信ネットワークへの接続を許可されたユーザであることを通知する。
【００１８】
次に、ライセンス配信処理部２１はライセンスを暗号化するための公開鍵の要求をユーザ端末Ａに送信する。すると端末Ａのライセンス配信要求処理部４１ａはユーザ識別情報記憶部４６ａに記録しているＧＵＩＤを読み取り、また、端末Ａのハードウェア固有の番号（例えば、ハードディスクの製造番号）を読み取って、読み取ったＧＵＩＤハードウェア固有の番号とを用いて公開鍵と秘密鍵を生成する。そして、ライセンス配信要求処理部４１ａは公開鍵のみをライセンス管理装置２へ送信する。次に、ライセンス管理装置２のライセンス配信処理部２１はライセンス配信要求に格納された暗号化コンテンツのファイル名とログオンユーザＡのＧＵＩＤとの組合せに基づいて利用条件情報記憶部２２に記録されている利用条件情報を読み取る。またライセンス配信処理部２１はライセンス配信要求に格納されている暗号化コンテンツのファイル名に基づいてコンテンツ鍵記憶部２３から復号鍵を読み取る。そして、ライセンス配信処理部２１は読み取った利用条件情報と復号鍵を端末Ａから受信した公開鍵で暗号化して端末Ａに送信する。なお、利用条件情報と復号鍵が本実施形態におけるコンテンツのライセンスとなる。そして、端末Ａのライセンス配信要求処理部４１ａは暗号化されたライセンスを受信して、その暗号化されたライセンスを、暗号化コンテンツのファイル名に対応付けてライセンス記憶部４５ａに記録する。
【００１９】
次に、ログオンユーザＡがコンテンツ記憶部４４ａに記録した暗号化コンテンツを利用する際に、ライセンスの復号化を指示すると端末Ａは秘密鍵を用いてライセンスを復号化する。次に、ログオンユーザＡがコンテンツの利用を指示すると、端末Ａはライセンスに含まれるコンテンツの復号鍵を用いてコンテンツ記憶部４４ａに記録されている暗号化コンテンツを復号し、利用条件情報を用いてコンテンツに対応するコンテンツ利用プログラムを起動する。そしてコンテンツ利用プログラムが利用条件情報とコンテンツを読み込む。これにより、ログオンユーザＡはコンテンツを利用条件に基づいて利用することができる。なお復号化されたコンテンツのファイル名に対応付けられてライセンスがライセンス記憶部４５に記録される。
【００２０】
次に、通信ネットワークから接続を外した端末Ａと端末Ｂとの間でライセンスの移動を行う際の処理を図２を用いて説明する。
図２はライセンスの移動を行う際のライセンス移動システムの処理フローを示す図である。
まず、端末Ｂは予めログオンユーザＡのログオンユーザ識別情報をユーザ識別情報記憶部４６ｂに記憶しているものとする。このログオン識別情報は、ログオンユーザＡがログオンユーザＡのログオンＩＤとパスワードを用いて端末Ｂを通信ネットワークに接続し、ネットワーク接続認証装置１から認証を得たことにより当該ネットワーク接続認証装置１から受信してユーザ識別情報記憶部４６ｂに記録されたものである。また端末Ａと端末ＢにログオンユーザＡがログオンしている。そして、端末Ａと端末Ｂは例えばネットワークケーブル等を介して当該端末同士だけである環境にて接続されている。接続の形態はネットワークケーブルによる接続の他に、赤外線による無線通信での接続や、その他の形態による接続の方法であってもよい。
ここで、ログオンユーザＡは、端末Ｂを操作して端末Ａの記憶するコンテンツの要求を指示する。すると端末Ｂのコンテンツ移動処理部４２ｂは端末Ａにコンテンツ要求を送信する。次に端末Ａのコンテンツ移動処理部４２ａはコンテンツ記憶部４４ａに記録されているコンテンツを端末Ｂに送信する。そして端末Ｂのコンテンツ移動処理部４２ｂは端末Ａから受信したコンテンツをコンテンツ記憶部４４ｂに記録する。
【００２１】
次に、ログオンユーザＡは、端末Ｂを操作して端末Ａの記憶するライセンスの要求を指示する。またログオンユーザＡは利用したいコンテンツを指定する。すると、端末Ｂのライセンス移動処理部４３ｂはログオンユーザＡが指定したコンテンツのファイル名をコンテンツ記憶部４４ｂから読み取り、またユーザ識別情報記憶部４６ｂからＧＵＩＤを読み取る。そしてライセンス移動処理部４３ｂはコンテンツのファイル名とログオンユーザＡのＧＵＩＤを格納したライセンス要求を端末Ａに送信する（ステップＳ１）。
【００２２】
次に端末Ａのライセンス移動処理部４３ａはライセンス要求に格納されているＧＵＩＤを読み取る。そしてライセンス移動処理部４３ａは読み取ったＧＵＩＤとユーザ識別情報記憶部４６ａに記録されているＧＵＩＤを比較して、同一か否かを確認する（ステップＳ２）。また、ライセンス移動処理部４３ａは利用条件情報にコンテンツの他の端末での利用許可を表す外部利用可否の情報が記載されているか否かを確認する（ステップＳ３）。そして、比較したＧＵＩＤが同一でありかつ外部利用可否の情報が他の端末での利用許可を表している場合には、ライセンス移動処理部４３ａは端末Ｂを操作するログオンユーザがライセンスを送信しても良いユーザであると判断する。次にライセンス移動処理部４３ａは端末Ｂに公開鍵送信要求を送信する（ステップＳ４）。すると端末Ｂのライセンス移動処理部４３ｂは、ユーザ識別情報記憶部４６ｂに記録されているＧＵＩＤを読み取り、また、端末Ｂのハードウェア固有の番号（例えば、ハードディスクの製造番号）を読み取って、読み取ったＧＵＩＤハードウェア固有の番号とを用いて公開鍵と秘密鍵を生成する。そしてライセンス移動処理部４３ｂは生成した公開鍵を端末Ａに送信する（ステップＳ５）。
次に、端末Ａのライセンス移動処理部４３ａはライセンス要求に格納されていたコンテンツのファイル名に対応付けられてライセンス記憶部４５ａに記録されているライセンスを読み取る。そしてライセンス移動処理部４３ａは読み取ったライセンスを端末Ａから受信した公開鍵で暗号化し、その暗号化したライセンスを端末Ｂに送信する（ステップＳ６）。そして、端末Ｂのライセンス移動処理部４３ｂが暗号化されたライセンスを受信し、その暗号化されたライセンスをライセンス記憶部４５ｂに記録する（ステップＳ７）。これによりライセンスの端末Ａから端末Ｂへの移動が完了する。なお、端末Ａはライセンス記憶部４５ｂに記録した暗号化されたライセンスを端末Ｂの秘密鍵で復号する。
【００２３】
なお、上述のネットワーク接続装置やライセンス管理装置やコンテンツ配信装置や端末Ａ、端末Ｂにおける上述の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２４】
【発明の効果】
以上説明したように、この発明によれば、ライセンス要求装置が記憶するログオンユーザ識別情報とライセンス送信装置が記憶するログオンユーザ識別情報とを比較してこれらが同一のログオンユーザを示す情報であるか否かを判定し、その比較したログオンユーザ識別情報が同一であるときにのみ、ライセンス送信装置が記憶するライセンス情報のライセンス要求装置への送信を指示する。
これにより、ライセンス送信装置にライセンスを記憶させたログオンユーザと同一のユーザが操作するライセンス要求装置にのみライセンスを送信することとなるので、他のユーザが操作するライセンス要求装置にライセンスが供与されることがない。従って許可しないユーザにライセンスを提供することを防止することができる。また既にライセンスを記憶しているライセンス送信装置からライセンスを受信するので、ライセンスを提供するサーバにライセンス要求装置を接続させなくてもよい。
【００２５】
また本発明によれば、ライセンス情報がライセンス要求装置への送信を許可するか否かを表す送信許可情報を保持しており、送信指示手段は送信許可情報が送信許可を示す場合にのみライセンス要求装置への送信を指示することを特徴とする。これにより、ライセンスが他の端末への送信許可を示す送信許可情報を保持している場合にのみライセンスの他の端末への送信ができるので、ライセンスの情報として他の端末での利用を許可するユーザと許可しないユーザとを設定することができる。
【００２６】
また本発明によれば、ライセンス要求装置およびライセンス送信装置は、それぞれ、ライセンスを提供するサーバが接続された通信ネットワークへ接続した際に、通信ネットワークへの接続に必要な認証情報に基づいてログオンユーザ識別情報を受信することを特徴とする。これにより、ライセンスを提供するサーバにアクセスする際に行う認証時に提供されるログオンユーザ識別情報を用いて、ライセンス要求装置とライセンス送信装置を操作するログオンユーザが同一か否かを判定するので、上述のサーバへのアクセス権限がないログオンユーザの操作する端末へ、ライセンスを送信することを防止することができる。
【図面の簡単な説明】
【図１】この発明の一実施形態によるライセンス移動システムの構成を示す概略ブロック図である。
【図２】本発明の一実施形態によるライセンスの移動を行う際のライセンス移動システムの処理フローを示す図である。
【符号の説明】
１  ネットワーク接続認証装置
２  ライセンス管理装置
３  コンテンツ配信装置
【図１】
2004303089.tif 000003
【図２】
2004303089.tif 000004